(57)【要約】【課題】  比較的簡単な機構で、背下げ時の挟み込みに対する安全性と同時に手すり使用時の安定性を確保できる背上げ機構付きベッドを提供する。【解決手段】  背上げ機構を有する背上げ機構付きベッドにおいて、背上げ角度が設定角度に満たない間は角度増加方向にのみで、背上げ角度が設定角度以上になると角度増加方向だけでなく角度減少方向にも強制的に背上げフレーム３を駆動可能な背上げフレーム駆動機構を備えた。【選択図】        図８
2006141850.tif 000002
【特許請求の範囲】
【請求項１】
背上げ機構を有する背上げ機構付きベッドにおいて、最小角度から最大角度まで回動可能な背上げフレームと、角度増加方向にのみ強制的に前記背上げフレームを駆動可能な背上げフレーム駆動機構を備えたことを特徴とする背上げ機構付きベッド。
【請求項２】
背上げ機構を有する背上げ機構付きベッドにおいて、最小角度から最大角度まで回動可能な背上げフレームと、背上げ角度が設定角度に満たない間は角度増加方向にのみ強制的に前記背上げフレームを駆動可能で、かつ背上げ角度が設定角度以上になると角度増加方向だけでなく角度減少方向にも強制的に前記背上げフレームを駆動可能な背上げフレーム駆動機構を備えたことを特徴とする背上げ機構付きベッド。
【発明の詳細な説明】
【技術分野】
【０００１】
本願発明は、一般家庭や病院・施設などで使用する背上げ機構付きベッドに関するものである。
【背景技術】
【０００２】
近年、高齢者、病弱者等の使用するベッドには背上げ機構が付いており、自力によって上半身を起こす事が困難な利用者の場合、アクチュエータによって背上げ機構を駆動させる事により上半身を起こしている（例えば、特許文献１、特許文献２、特許文献３参照）。
【０００３】
また、それらのベッドにはベッドからの転落防止等の為にベッドのサイドフレームにサイドレールや、立ち上がりの補助の為の手すりが設置されることがある（例えば、特許文献２、特許文献３参照）。
【特許文献１】特開２００４−４４４号公報
【特許文献２】特開２００４−１２９７０９号公報
【特許文献３】特開２００３−５２７６５号公報
【発明の開示】
【発明が解決しようとする課題】
【０００４】
しかしながら、背上げ状態時に背上げフレーム下に誤って何らかの障害物、または人間が入ってしまう可能性が考えれられ、背上げ状態を元へ戻す場合（背下げ時）に挟み込まれる危険が生じていた。この問題を解決するため、背上げ機構に使用するアクチュエータの電力制御装置（例えば、特開２００４−４８８２４号公報参照）や背上げフレーム下リミットスイッチ（例えば、特許文献１参照）等を設置し挟み込みを防止していた。しかし、このような制御には常に不作動や誤動作の虞があるので、安全性の確保に不安が残る。
【０００５】
そこで、本願発明はこのような課題を解決するためになされたものであり、比較的簡単な機構で、背下げ時の挟み込みに対する安全性を確保できる背上げ機構付きベッドを提供することを目的とするものである。
【課題を解決するための手段】
【０００６】
上記のような目的を達成するために、本願発明は、背上げ機構を有する背上げ機構付きベッドにおいて、最小角度から最大角度まで回動可能な背上げフレームと、角度増加方向にのみ強制的に前記背上げフレームを駆動可能な背上げフレーム駆動機構を備えたことを特徴とするものである。
【０００７】
また、背上げ機構を有する背上げ機構付きベッドにおいて、最小角度から最大角度まで回動可能な背上げフレームと、背上げ角度が設定角度に満たない間は角度増加方向にのみ強制的に前記背上げフレームを駆動可能で、かつ背上げ角度が設定角度以上になると角度増加方向だけでなく角度減少方向にも強制的に前記背上げフレームを駆動可能な背上げフレーム駆動機構を備えたことを特徴とするものである。
【発明の効果】
【０００８】
本願の請求項１記載の発明によれば、背上げ角度が増加する背上げ時には背上げフレーム駆動機構の駆動力により背上げフレームが強制的に背上げ駆動されるが、背下げ時には背上げフレーム駆動機構の駆動力によらず利用者やマットレスや背上げフレームの自重により背下げが行われるので、背下げ時の挟み込みに対する安全性が確保される。
【０００９】
また、請求項２記載の発明によれば、背上げ角度が設定角度に満たない間は角度増加方向にのみで、背上げ角度が設定角度以上になると角度増加方向だけでなく角度減少方向にも強制的に背上げフレームを駆動可能な背上げフレーム駆動機構を備えることによって、背下げ時の挟み込みに対する安全性が確保されると共に、手すり使用時の安定性を実現することができる。すなわち、背下げ時に背上げ角度が設定角度より小さくなると、背上げフレーム駆動機構の駆動力によらず利用者やマットレスや背上げフレームの自重により背下げが行われるので、背下げ時の挟み込みに対する安全性が確保され、背上げ角度が設定角度以上になると、角度増加方向だけでなく角度減少方向にも強制的に背上げフレームを駆動可能になって背上げフレーム駆動機構と背上げフレームが一体状態となるので、手すり使用時の安定性を実現できる。
【発明を実施するための最良の形態】
【００１０】
以下、本願発明の実施形態を図面を参照して詳細に説明する。
【００１１】
図１は、本願発明の背上げ機構付きベッドの一実施形態の概略構成を示す側面図、図２はその平面図、図３（ａ〕，（ｂ）は要部構成及び作用を示す要部側面図、図４（ａ）〜（ｃ）は全体動作説明図、図５は背上げ角度と大腿部支え上げ角度の連動関係をグラフ化して示す図である。
【００１２】
図１、図２において、この背上げ機構付きベッド本体１の角パイプ製のベッドフレーム２は、腰部より下側の下半身（図の左側略半分）に対応するフロントフレーム２ａと、腰部より上側の上半身（図の右側略半分）に対応するリアフレーム２ｂとがピン結合等により組み立て自在に構成されており、前後と中央部に脚部２ｃが形成されている。
【００１３】
上記リアフレーム２ｂ側には、腰部側がピン結合等により最小角度から最大角度まで回動可能に取り付けられて背上げを行う角パイプ製の背上げフレーム３と、この背上げフレーム３の回動軸３ａ側の中央部に設けられた背上げ駆動ブラケット４と、この背上げ駆動ブラケット４に駆動源としてのモータ５からの駆動力を伝達する機構として軸方向に進退駆動されるリニアアクチュエータ６とが備えられている。上記モータ５は、リモコン７による操作でマイコン８及び図示しないモータドライブユニット等を介して駆動制御されるようになっている。また、上記背上げフレーム３のサイドフレームには図示しない手すり等を取り付けることができるようになっている。
【００１４】
上記背上げ駆動ブラケット４には、図３（ａ）に示すように、背上げフレーム３の回動軸３ａ近傍の下面に当接して、モータ５によりリニアアクチュエータ６を介して駆動される背上げ駆動ブラケット４の駆動力を背上げフレーム３に伝達する駆動フレーム４ａが一体に固定されている。これらにより、角度増加方向にのみ強制的に背上げフレーム３を駆動可能な背上げフレーム駆動機構が実現されている。
【００１５】
一方、上記フロントフレーム２ａ側には、腰部側がピン結合等による回動軸９ａを介して回動可能に取り付けられて、背上げ連動時には車いす等のアンカーのように脚の付け根側の大腿部のみを支え上げる角パイプ製の大腿部支え上げフレーム９と、一端側が前記背上げ駆動ブラケット４にピン結合等により回動自在に取り付けられ、他端側が上記大腿部支え上げフレーム９の下面側中央部に設けられたローラ１０に当接する大腿部支え上げフレーム駆動ロッド１１と、下端側がベッドフレーム２側から下方に突設された突出片２ｄにピン結合等により回動自在に取り付けられ、上端側が上記大腿部支え上げフレーム駆動ロッド１１の略中央部にピン結合等により回動自在に取り付けられたロッド支持プレート１２とが備えられている。
【００１６】
なお、使用時には、上記背上げフレーム３や大腿部支え上げフレーム９及びその他のベッドフレーム２上に、背上げフレーム３や大腿部支え上げフレーム９の動作に支障をきたさないように樹脂製等のプレートが張られ、その上にベッドマットレスが載置されて使用される。
【００１７】
次に、このように構成された本実施形態の背上げ機構付きベッドの動作について、図３、図４、図５を参照して説明する。なお、図４の（ａ）は背上げフレーム３及び大腿部支え上げフレーム９が共に最小角度の平坦（フラット）な状態、（ｂ）はモータ５をリニアアクチュエータ６が縮む方向に作動させて、背上げフレーム３を約３５度の傾斜角度に上げたとき大腿部支え上げフレーム９が約２５度の傾斜角度の状態、（ｃ）はモータ５をリニアアクチュエータ６がさらに縮む方向に作動させて、背上げフレーム３を約７０度の最大傾斜角度に上げたとき大腿部支え上げフレーム９が約０度の角度（フラット）の状態を示している。また、本実施形態における大腿部支え上げフレーム９の傾斜角度の増減の推移は、図５に実線で示す背上げ角度に対して太い破線で示す大腿部支え上げ角度Ａのようになる。
【００１８】
さて、背上げ時には、利用者本人やその介護者がリモコン７を操作して、モータ５をリニアアクチュエータ６が縮む方向に作動させると、リニアアクチュエータ６の先端が連結された背上げ駆動ブラケット４が図３，図４の反時計廻りの回動方向で下がる方向に動き、背上げ駆動ブラケット４の駆動フレーム４ａが下面に当接する背上げフレーム３が上がる方向に動く。それと共に、大腿部支え上げフレーム駆動ロッド１１が引っ張られて、その略中央部に上端側が回動自在に取り付けられたロッド支持プレート１２が下端側の固定回動軸を中心に時計廻りの回動方向で上がる方向に動く（図４（ａ）→（ｂ）参照）。これにより、大腿部支え上げフレーム駆動ロッド１１に背上げ駆動ブラケット４とロッド支持プレート１２の逆方向の動作が作用してそれらの僅かな上下動でも大きな傾斜角度がつき、大腿部支え上げフレーム９がその下面に取り付けられたローラ１０を介して効率良く持ち上げられる。
【００１９】
そして、背上げ駆動ブラケット４が回動方向の円周上の最下点を過ぎると今度は上がる方向に変わる。同じく、ロッド支持プレート１２は回動方向の円周上の最上点を過ぎると下がる方向になり、大腿部支え上げフレーム駆動ロッド１１は徐々に傾斜角度が小さくなって行き、大腿部支え上げフレーム９の傾斜角度も小さくなり、背上げフレーム３が最大傾斜角度の約７０度に達すると大腿部支え上げフレーム９がフラット（平坦）な状態に復帰する（図４の（ｂ）→（ｃ）参照）。この背上げ状態から逆に背下げを行うときは上記の逆の動作となる。
【００２０】
この背下げ時に、図３（ｂ）に示すように背上げフレーム３とベッドフレーム２（リアフレーム２ａ）の間に障害物Ｍが入ってしまった場合には、背上げフレーム３と駆動フレーム４ａは当接しているだけなので、背上げフレーム３にはリニアアクチュエータ６からの背下げ方向の駆動力は伝わらず、利用者やマットレスや背上げフレームの自重により背下げが行われるので、背下げ方向に強制駆動されることはない。これにより、比較的簡単な機構で、背下げ時の背上げフレーム３による挟み込みに対する安全性が確保される。
【００２１】
また、本実施形態によれば、背上げフレーム３に連動した大腿部支え上げフレーム９により背上げ時の身体のずり落ちを効率良く防ぐことができると共に、脚の付け根側の大腿部のみで膝まで上げなくてもよいので、背上げ時に窮屈な姿勢となることなく端座位や離床動作も行いやすく、また大腿部のみを支え上げればよいので軽量化や低コスト化が図りやすくなる。従って、背上げ時の身体のずり落ちを防ぎ、背上げ時に窮屈な姿勢となることなく端座位や離床動作も行いやすい軽量で安価な背上げ機構付きベッドを提供することができる。
【００２２】
さらに、大腿部支え上げフレーム９は、ベッドフレーム２の幅より狭幅でベッドフレーム２の幅方向中央部のみに設けられて成るものであるから、背上げ時に窮屈な姿勢となることなく、端座位や離床動作も行いやすく、軽量化や低コスト化が更に図りやすくなる。
【００２３】
また、背上げ動作に連動して大腿部支え上げ動作を行うと共に、背上げ動作の途中から大腿部下げ動作を行うので、いっそう背上げ時に窮屈な姿勢となることなく端座位や離床動作も更に行いやすくなる。
【００２４】
また、機構的に、回動部材であるロッド支持プレート１２で略中央部を支持された大腿部支え上げフレーム駆動ロッド１１を介して間接的に連動させて大腿部支え上げ動作を行っているので、連結部に掛かる力が急に逆転しないため、ガタつきの発生を防ぐことができ、また低床のベッドへの適用も容易となる。
【００２５】
本実施形態のものは、このような優れた特性を有するものであるから、特に、一般家庭や病院・施設などでの介護用ベッドとして好適な背上げ機構付きベッドとなる。
【００２６】
図６は、本願発明の他の実施形態に係る背上げ機構付きベッドの概略構成及び作用を示す図であり、前記実施形態と同一又は相当部分には同一符号を用いている。なお、背上げフレーム駆動機構は前記図３に示したものと同様であるので、図示は省略する。
【００２７】
本実施形態では、大腿部支え上げフレーム９の下面のローラ１０に当接する大腿部支え上げフレーム駆動ロッド１１の当接面の形状を変えることにより、大腿部支え上げフレーム９の動作角度や動作タイミングを調節可能に設定できるようにしたものである。この例では、大腿部支え上げフレーム駆動ロッド１１のローラ当接面に両側が山形状となる調節部材１１ａを取り付けて、ロッド支持プレート１２の最上点付近での上下動を相殺するような作用を持たせて、大腿部支え上げフレーム９の傾斜角度の増減の推移が、図５に実線で示す背上げ角度に対して細い破線で示す台形状の大腿部支え上げ角度Ｂのようになるように構成している。
【００２８】
これにより、前記実施形態と同様な作用効果が得られると共に、利用者の要望等に合わせて大腿部支え上げフレーム９の動作角度や動作タイミングを容易かつ安価に設定することができる。
【００２９】
図７は、本願発明の更に他の実施形態に係る背上げ機構付きベッドの概略構成及び作用を示す図であり、前記実施形態と同一又は相当部分には同一符号を用いている。なお、背上げフレーム駆動機構は前記図３に示したものと同様であるので、図示は省略する。
【００３０】
本実施形態では、大腿部支え上げフレーム９側の駆動機構を変えたもので、大腿部支え上げフレーム９の回動軸９ａ側に固定された大腿部支え上げ駆動アーム１３と、この大腿部支え上げ駆動アーム１３に駆動源としてのモータ１４からの駆動力を伝達する機構として軸方向に進退駆動されるリニアアクチュエータ１５を備えたものであり、前記図１に示したマイコン８により両モータ５，１４を前述したものと同様な作用を有するように連動させることにより、前述した実施形態とほぼ同様な作用効果が得られる。
【００３１】
図８は、本願発明の更に他の実施形態に係る背上げ機構付きベッドにおける背上げフレーム駆動機構の要部構成及び作用を示す要部側面図であり、前記実施形態と同一又は相当部分には同一符号を用いている。
【００３２】
前述してきた実施形態の背上げフレーム駆動機構では、背上げフレーム３に手すりを設置した場合、背上げフレーム３はその下面が駆動フレーム４ａに当接しているだけなので、手すり使用時に安定性が無く、利用者に不安を与える可能性がある。
【００３３】
そこで、本実施形態では、前述した背上げフレーム駆動機構に加えて、直角よりもやや鈍角に折り曲げられて折曲部近傍が駆動フレーム４ａの端部（図の右端部）に設けられた回動軸４ｂに回動可能に取り付けられた規制金具４ｃと、その下方にメインフレーム（ベッドフレーム２のリアフレーム２ｂ）から突設されたメインフレームピン４ｄと、背上げフレーム３の基部に上記規制金具４ｃの立ち上がり片４ｅに向けて突設されたストッパーピン４ｆと、上記規制金具４ｃの回動軸４ｂに取り付けられて当該規制金具４ｃの下片４ｇを下方に付勢する捻りバネ４ｈとを備え、規制金具４ｃの下片４ｇの裏面側には上記メインフレームピン４ｄに当接する急勾配と緩勾配から成る三角形状のガイド部４ｉが形成され、他方の立ち上がり片４ｅには上記ストッパーピン４ｆが嵌合する孔４ｊが形成されている。
【００３４】
以上の構成において、背上げを行うと、駆動フレーム４ａに押し上げられるようにして背上げフレーム３が背上げを行う方向に動き、駆動フレーム４ａに取り付けられた規制金具４ｃは背上げフレーム３のストッパーピン４ｆとの関係が図８（ａ）の状態で移動する。すなわち、設定角度であるロック開始角度までは規制部材４ｃのガイド部４ｉがメインフレームピン４ｄの配置により捻りバネ４ｈの付勢力に抗して図８（ａ）の状態を維持するので、規制金具４ｃの孔４ｊとストッパーピン４ｆは離れた状態に維持される。この角度状態では、背下げを行っても背上げフレーム３を背下げ方向に強制駆動することはなく、前記実施形態と同様に、背下げ時の背上げフレーム３による挟み込みに対する安全性が確保される。
【００３５】
一方、図８（ｂ）に示すように、設定角度であるロック開始角度に達すると、規制部材４ｃのガイド部４ｉとメインフレームピン４ｄと捻りバネ４ｈの付勢力により規制部材４ｃが回動して、その孔４ｊが背上げフレーム３のストッパーピン４ｆに嵌合し、駆動フレーム４ａと背上げフレーム３がロックされた状態になる。この状態では、背上げフレーム３に手すりを設置した場合でも、背上げフレーム３は駆動フレーム４ａと一体状態となっているので、手すり使用時の安定性が向上する。なお、設定角度であるロック開始角度は、ガイド部４ｉの形状とメインフレームピン４ｄの配置位置によって所望の角度に変更することができる。
【００３６】
図９は、本願発明の更に他の実施形態に係る背上げ機構付きベッドにおける背上げフレーム駆動機構の要部構成及び作用を示す要部側面図であり、前記実施形態と同一又は相当部分には同一符号を用いている。
【００３７】
本実施形態では、前述したとほぼ同様な背上げフレーム駆動機構に加えて、背上げフレーム３の基部上端に回動軸３ｂを介して回動可能に取り付けられたロックパーツ３ｃを備え、その下端にはメインフレーム（ベッドフレーム２のリアフレーム２ａ）上へ突設されて摺接するスライドピン３ｄが設けられ、中間部位には駆動フレーム４ａの端部４ｋに係合する段部３ｅが形成されている。
【００３８】
以上の構成において、図９（ａ）に示すように、背上げ開始時から設定角度であるロック開始角度までは、ロックパーツ３ｃのスライドピン３ｄがメインフレーム（ベッドフレーム２のリアフレーム２ａ）上をスライドすることにより、ロックパーツ３ｃと駆動フレーム４ａは離れた状態にあり、背下げを行っても背上げフレーム３を背下げ方向に強制駆動することはなく、前記実施形態と同様に、背下げ時の背上げフレーム３による挟み込みに対する安全性が確保される。
【００３９】
一方、背上げ角度を設定角度であるロック開始角度以上に増加させると、図９（ｂ）に示すように、ロックパーツ３ｃのスライドピン３ｄがメインフレーム（ベッドフレーム２のリアフレーム２ａ）上を離れ、ロックパーツ３ｃの中間段部３ｅが駆動フレーム４ａの端部４ｋに係合して背上げフレーム３と駆動フレーム４ａをロックする。この状態では、背上げフレーム３に手すりを設置した場合でも、背上げフレーム３は駆動フレーム４ａと一体状態となっているので、手すり使用時の安定性が向上する。なお、設定角度であるロック開始角度は、ロックパーツ３ｃの長さによって所望の角度に変更することができる。
【００４０】
以上のように、上記図８，図９に示した実施形態によれば、比較的簡単な機構で、背下げ時の背上げフレームによる挟み込みに対する安全性を確保しつつ、安定性のある手すりを使用した離床動作を安全かつ快適に行うことができ、要介護高齢者の離床を促すことで自立支援となり、介護度の重度化を抑制することができる。
【図面の簡単な説明】
【００４１】
【図１】本願発明の一実施形態に係る背上げ機構付きベッドの概略構成を示す側面図。
【図２】同じく、その平面図。
【図３】その要部構成及び作用を示す要部側面図。
【図４】その全体動作説明図。
【図５】背上げ角度と大腿部支え上げ角度の連動関係をグラフ化して示す図。
【図６】本願発明の他の実施形態に係る背上げ機構付きベッドの概略構成及び作用を示す図。
【図７】本願発明の更に他の実施形態に係る背上げ機構付きベッドの概略構成及び作用を示す図。
【図８】本願発明の更に他の実施形態に係る背上げ機構付きベッドにおける背上げフレーム駆動機構の要部構成及び作用を示す要部側面図。
【図９】本願発明の更に他の実施形態に係る背上げ機構付きベッドにおける背上げフレーム駆動機構の要部構成及び作用を示す要部側面図。
【符号の説明】
【００４２】
１  背上げ機構付きベッド本体
２  ベッドフレーム
２ａ  フロントフレーム
２ｂ  リアフレーム
２ｃ  脚部
２ｄ  突出片
３  背上げフレーム
３ａ  回動軸
３ｂ  回動軸
３ｃ  ロックパーツ
３ｄ  スライドピン
３ｅ  段部
４  背上げ駆動ブラケット
４ａ  駆動フレーム
４ｂ  回動軸
４ｃ  規制金具
４ｄ  メインフレームピン
４ｅ  立ち上がり片
４ｆ  ストッパーピン
４ｇ  下片
４ｈ  捻りバネ
４ｉ  ガイド部
４ｊ  孔
５  モータ
６  リニアアクチュエータ
７  リモコン
８  マイコン
９  大腿部支え上げフレーム
９ａ  回動軸
１０  ローラ
１１  大腿部支え上げフレーム駆動ロッド
１１ａ  調節部材
１２  ロッド支持プレート
１３  大腿部支え上げフレーム駆動アーム
１４  モータ
１５  リニアアクチュエータ
【図１】
2006141850.tif 000003
【図２】
2006141850.tif 000004
【図３】
2006141850.tif 000005
【図４】
2006141850.tif 000006
【図５】
2006141850.tif 000007
【図６】
2006141850.tif 000008
【図７】
2006141850.tif 000009
【図８】
2006141850.tif 000010
【図９】
2006141850.tif 000011